(57)【要約】【課題】サイドシル上面を効果的に保護すると共に加飾機能を向上することができるサイドシルガーニッシュを提供する。【解決手段】サイドシルガーニッシュ１は、車両２のドア開口部３におけるサイドシル４の上面に取付けられる。合成樹脂製のガーニッシュ本体５と、前記ガーニッシュ本体５の上面５Ｂを覆う金属製の保護プレート６とを備え、前記保護プレート６は、前記車両２の外側に位置する前記ガーニッシュ本体５の外側端部５Ａを覆うことを特徴とする。【選択図】図２
2011088532.tif 000002
【特許請求の範囲】
【請求項１】
車両のドア開口部におけるサイドシルの上面に取付けられるサイドシルガーニッシュにおいて、
合成樹脂製のガーニッシュ本体と、
前記ガーニッシュ本体の上面を覆う金属製の保護プレートと
を備え、
前記保護プレートは、前記車両の外側に位置する前記ガーニッシュ本体の外側端部を覆う
ことを特徴とするサイドシルガーニッシュ。
【請求項２】
光源と当該光源の光を外部へ照射するレンズとを備える照明装置が設けられ、
前記保護プレートは、前記レンズを表出する開口部が形成されている
ことを特徴とする請求項１記載のサイドシルガーニッシュ。
【請求項３】
前記開口部は、文字形状に切り抜かれてなることを特徴とする請求項２記載のサイドシルガーニッシュ。
【請求項４】
前記車両の外側に位置する外側端に側方照明装置を設けたことを特徴とする請求項１〜３のいずれか１項に記載のサイドシルガーニッシュ。
【請求項５】
前記保護プレートの外側端部は、サイドシルの表面との間に、所定の荷重によって保護プレートが変形した場合に、当該保護プレートの外側端部がサイドシルの表面に接触しない大きさの隙間が形成されてなることを特徴とする請求項１〜４のいずれか１項に記載のサイドシルガーニッシュ。
【発明の詳細な説明】
【技術分野】
【０００１】
本発明は、サイドシルガーニッシュに関するものである。
【背景技術】
【０００２】
サイドシルガーニッシュとして、樹脂成形体からなるトリム本体の表面の一部にステンレスプレートなどのカバープレートを取付けるカバープレートの取付構造が開示されている（例えば、特許文献１）。この特許文献１によれば、カバープレートを前後、左右および上下方向の全方位において位置規制がなされるとともに、トリム本体側の取付孔が隠され、外観性を高めることができる。このカバープレートは、ドア開口部の下縁部に位置するサイドステップ部の表面に設けられる。
【先行技術文献】
【特許文献】
【０００３】
【特許文献１】特開２００６−２７３１７号公報
【発明の概要】
【発明が解決しようとする課題】
【０００４】
上記特許文献１では、フランジが車室の内側に形成されているため、乗員が乗降する際、トリム本体の表面を傷つけてしまうという問題があった。すなわち、乗員が乗降する際、乗員の足先は、カバープレートで覆われていないドア開口部の下縁部の外側の部分に接触しやすいため、当該部分が傷ついてしまうという問題があった。
【０００５】
そこで、本発明は、サイドシル上面を効果的に保護すると共に加飾機能を向上することができるサイドシルガーニッシュを提供することを目的とする。
【課題を解決するための手段】
【０００６】
本発明の請求項１に係る発明は、車両のドア開口部におけるサイドシルの上面に取付けられるサイドシルガーニッシュにおいて、合成樹脂製のガーニッシュ本体と、前記ガーニッシュ本体の上面を覆う金属製の保護プレートとを備え、前記保護プレートは、前記車両の外側に位置する前記ガーニッシュ本体の外側端部を覆うことを特徴とする。
【０００７】
本発明の請求項２に係る発明は、光源と当該光源の光を外部へ照射するレンズとを備える照明装置が設けられ、前記保護プレートは、前記レンズを表出する開口部が形成されていることを特徴とする。
【０００８】
本発明の請求項３に係る発明は、前記開口部は、文字形状に切り抜かれてなることを特徴とする。
【０００９】
本発明の請求項４に係る発明は、前記車両の外側に位置する外側端に側方照明装置を設けたことを特徴とする。
【００１０】
本発明の請求項５に係る発明は、前記保護プレートの外側端部は、サイドシルの表面との間に、所定の荷重によって保護プレートが変形した場合に、当該保護プレートの外側端部がサイドシルの表面に接触しない大きさの隙間が形成されてなることを特徴とする。
【発明の効果】
【００１１】
本発明の請求項１によれば、乗員が乗降する際、当該乗員の足先によってサイドシル表面に傷が付くことを効果的に防止することができる。また、金属製の保護プレートと合成樹脂製のガーニッシュ本体とを備えていることにより、上面の質感に変化を与えることができるので、加飾機能を向上することができる。
【００１２】
本発明の請求項２によれば、保護プレートに形成された開口部から光を照射し得るように構成されていることにより、より加飾機能を向上することができる。
【００１３】
本発明の請求項３によれば、開口部は、文字形状を切り抜いた形状とすることにより、乗員の満足度を向上することができる。
【００１４】
本発明の請求項４によれば、乗員の乗降の際、車両の側方の地面を照らすことができる。
【００１５】
本発明の請求項５によれば、保護プレートが変形した場合でも、当該保護プレートの外側端部がサイドシルの上面に接触することを防止することができる。
【図面の簡単な説明】
【００１６】
【図１】本実施形態に係るサイドシルガーニッシュの使用状態を示す斜視図である。
【図２】本実施形態に係るサイドシルガーニッシュの縦断面図である。
【図３】変形例に係るサイドシルガーニッシュの構成を示す斜視図である。
【図４】変形例に係るサイドシルガーニッシュの縦断面図である。
【発明を実施するための形態】
【００１７】
以下、図面を参照して本発明の実施形態について詳細に説明する。図1に示すサイドシルガーニッシュ１は、板状体からなり、車両２のドア開口部３におけるサイドシル４の上面に取付けられている。本実施形態において、サイドシルガーニッシュ１は、運転席の開口部に設けられた場合について説明する。
【００１８】
このサイドシルガーニッシュ１は、ガーニッシュ本体５と、当該ガーニッシュ本体５の上面および車両２の外側に位置する外側端部５Ａを覆う保護プレート６とを備える。これにより、サイドシルガーニッシュ１は、乗員が乗降する際、当該乗員の足先によってサイドシル４表面に傷が付くことを防止し得るように構成されている。
【００１９】
図2に示すように、サイドシル４は、サイドシルインナ１０とサイドシルアウタ１１とからなり、互いに上端縁１０Ａ，１１Ａおよび下端縁（図示しない）で接合され一体化されている。このサイドシルアウタ１１の上面１１Ｂに前記サイドシルガーニッシュ１が貼着部材１２を介して取付けられている。ここで、貼着部材１２とは、例えば両面テープが好適に用いられる。
【００２０】
本実施形態の場合、ガーニッシュ本体５は、合成樹脂製からなり、サイドシルアウタ１１の上面１１Ｂを覆うように形成されている。このガーニッシュ本体５は、設置凹部１３と、当該設置凹部１３内に設けられた挿入部１４とを有する。設置凹部１３は、ガーニッシュ本体５の上面５Ｂを他面側へ凹ませた形状であって、幅方向の略中央から外側端部５Ａにかけて形成されている。また、設置凹部１３は、保護プレート６を設置した場合に保護プレート６の上面６Ａとガーニッシュ本体５の上面５Ｂとが、略面一となるように形成されている。挿入部１４は、ガーニッシュ本体５の厚さ方向に貫通する穴でなる。また、ガーニッシュ本体５の外側端部５Ａは、上面が外方へいくにしたがって緩やかに下方へ傾斜してなる。
【００２１】
保護プレート６は、金属製、例えば、アルミニウム製やステンレス製からなり、ガーニッシュ本体５の設置凹部１３に貼着部材１２により固定されている。また、保護プレート６には、厚さ方向に貫通してなる開口部１５が設けられている。
【００２２】
開口部１５は、挿入部１４に対応した位置に設けられている。この開口部１５は、所定の形状、例えば、車両２の名称などからなる文字形状を切り抜いた形状とすることができる。なお、挿入部１４は、開口部１５の周囲に枠状の貼付部１６を形成し得るように開口部１５より大きく形成されている。
【００２３】
また、保護プレート６の外側端部６Ｂは、サイドシルアウタ１１の上面１１Ｂとの間に、隙間ｔが形成されてなる。当該隙間ｔは、所定の荷重によって保護プレート６が変形した場合でも、当該保護プレート６の外側端部５Ａがサイドシルアウタ１１の上面１１Ｂに接触しない大きさに形成される。ここで、所定の荷重とは、乗員が乗降する際に乗員の足先によってサイドシルガーニッシュ１に加えられる想定の荷重であって、安全率を含む荷重をいう。
【００２４】
サイドシルガーニッシュ１の外側端には、前記隙間ｔから外方に光を照射する側方照明装置２０が設けられている。側方照明装置２０としては、種々のものが考えられるが、例えば、図示しないが、前記隙間ｔに対しサイドシルガーニッシュ１の長手方向に配置された棒状導光体と、当該棒状導光体の一端に設けられた光源とを備え、当該光源から出射された光を長手方向へ導出し得るようになされた構成を用いることができる。なお、光源は、図示しないが、車両２に搭載されているバッテリに電気的に接続されている。
【００２５】
このように構成されたサイドシルガーニッシュ１には、裏面側に照明装置２１が貼着部材１２により固定されている。照明装置２１は、図示しない光源と、ケース２２と、導光体２３と、レンズ２４とを備え、光源から出射された光を導光体２３を通じてレンズ２４から外部へ光を照射し得るように構成されている。この照明装置２１は、ガーニッシュ本体５の挿入部１４に挿入され、レンズ２４を開口部１５から表出される。この状態で、照明装置２１は、保護プレート６の裏面に形成された貼付部１６において貼着部材１２によって保護プレート６に固定されている。なお、光源は、図示しないが、車両２に搭載されているバッテリに電気的に接続されている。
【００２６】
上記のように構成されたサイドシルガーニッシュ１は、サイドシルアウタ１１の上面１１Ｂに設けられていることにより、乗員が乗降する際、当該乗員の足先によってサイドシル４表面に傷が付くことを効果的に防止することができる。
【００２７】
また、サイドシルガーニッシュ１は、金属製の保護プレート６と合成樹脂製のガーニッシュ本体５とを備えていることにより、上面の質感に変化を与えることができるので、加飾機能を向上することができる。
【００２８】
また、本実施形態に係るサイドシルガーニッシュ１は、金属製の保護プレート６が合成樹脂製のガーニッシュ本体５の表面を覆っていることにより、傷が付くことをより確実に防止することができる。
【００２９】
また、サイドシルガーニッシュ１は、金属製の保護プレート６がガーニッシュ本体５の外側端部５Ａを覆っていることにより、乗員の足先の引っかかりなどによって外側端部５Ａが破損することを防止することができる。
【００３０】
また、サイドシルガーニッシュ１の外側端部１Ａは、上面が外方へいくにしたがって緩やかに下方へ傾斜して形成されていることにより、乗員の乗降をスムーズにさせ得る。
【００３１】
また、保護プレート６の外側端部６Ｂは、サイドシルアウタ１１の上面１１Ｂとの間に、隙間ｔが形成されていることにより、保護プレート６が変形した場合でも、当該保護プレート６の外側端部６Ｂがサイドシルアウタ１１の上面１１Ｂに接触することを防止することができる。
【００３２】
また、サイドシルガーニッシュ１は、前記隙間ｔから外方に向かって光を照射する側方照明装置２０が設けられていることにより、乗員の乗降の際、車両２の側方の地面を照らすことができる。
【００３３】
また、サイドシルガーニッシュ１は、照明装置２１を備え、保護プレート６に形成された開口部１５から光を照射し得るように構成されていることにより、より加飾機能を向上することができる。さらに、当該開口部１５は、文字形状を切り抜いた形状とすることにより、乗員の満足度を向上することができる。
【００３４】
図3および図4に示すサイドシルガーニッシュ３０は、本発明の変形例であり、保護プレート３１がガーニッシュ本体５の上面全体および外周縁を全て覆い得るように構成されている点が異なる。このサイドシルガーニッシュ３０では、上記実施形態と同様の効果を得ることができる。
【００３５】
さらに、本変形例に係るサイドシルガーニッシュ３０は、ガーニッシュ本体５の上面全体および外周縁が全て保護プレート６で覆われていることにより、より確実に傷つきや破損を防止することができる。
【００３６】
また、本変形例に係るサイドシルガーニッシュ３０は、上面が金属製の保護プレート６で覆われてなることにより、より無機質な質感を与え、加飾機能を向上することができる。
【００３７】
本発明は上記実施形態に限定されるものではなく、本発明の趣旨の範囲内で適宜変更することができる。例えば、上記実施形態では、サイドシルガーニッシュ１，３０は運転席側の開口部１５のサイドシル４上面に設けた場合について説明したが、本発明はこれに限らず、助手席、後部座席側の開口部１５のサイドシル４上に設けることとしてもよい。
【符号の説明】
【００３８】
１    サイドシルガーニッシュ
２    車両
３    ドア開口部
４    サイドシル
５    ガーニッシュ本体
５Ａ    外側端部
５Ｂ    上面
６    保護プレート
１５    開口部
２０    側方照明装置
２１    照明装置
２４    レンズ
ｔ    隙間
【図１】
2011088532.tif 000003
【図２】
2011088532.tif 000004
【図３】
2011088532.tif 000005
【図４】
2011088532.tif 000006